(57)【要約】      （修正有）【課題】  店舗等において、移動体に対して広告情報を提供すると共に、より顧客への広告効果を高めることが可能な情報提供システムを提供する。【解決手段】  情報表示装置１０を取り付けたショッピングカートと共に買物客が店舗内を移動すると、情報表示装置１０に設置された非接触ＩＣタグに記録された表示体ＩＤが、位置ＩＤ保有装置２０に読み取られ、付近に存在する商品の配信情報データが情報送信手段５０から情報表示装置１０に送信される。情報表示装置１０は、主画面と２つの副画面を有しており、主画面変更可能状態である場合には（ａ）、受信した配信情報データＤを主画面１３および第１副画面１４に表示するとともに、それまで主画面１３および第１副画面１４に表示していた配信情報データＣを消去する（ｂ）。【選択図】  図５
2007128346.tif 000002
【特許請求の範囲】
【請求項１】
情報の表示が可能であると共に移動可能であり、自身を識別するためのＩＤである表示体ＩＤをもつ移動表示体と、所定の位置に設置され、当該位置を特定するための位置ＩＤを保有した位置ＩＤ保有装置を有し、前記移動表示体が前記位置ＩＤ保有装置に接近した場合に、当該位置ＩＤが設置されている位置に関連する情報を前記移動表示体に提供するシステムであって、
前記移動表示体において表示するための配信情報データを前記位置ＩＤと対応付けて記録した配信情報データベースと、
前記移動表示体が前記位置ＩＤ保有装置に接近した場合に、当該位置ＩＤ保有装置が保有する位置ＩＤに対応する配信情報データを、前記配信情報データベースから抽出する配信情報データ抽出手段と、を有し、
前記移動表示体は、自身が、主画面変更禁止状態であるか主画面変更可能状態であるかを判断し、主画面変更禁止状態である場合には、抽出した配信情報データを副画面にのみ表示させ、主画面変更可能状態である場合には、抽出した配信情報データを主画面に表示することを特徴とする情報提供システム。
【請求項２】
前記移動表示体は前記表示体ＩＤを送信する機能を有するとともに、前記位置ＩＤ保有装置は前記表示体ＩＤを取得する機能を有しており、前記移動表示体が前記位置ＩＤ保有装置に接近したかどうかは、前記位置ＩＤ保有装置が前記移動表示体から前記表示体ＩＤを取得することにより判断されるものであることを特徴とする請求項１に記載の情報提供システム。
【請求項３】
前記位置ＩＤ保有装置は前記位置ＩＤを送信する機能を有するとともに、前記移動表示体は前記位置ＩＤを取得する機能を有しており、前記移動表示体が前記位置ＩＤ保有装置に接近したかどうかは、前記移動表示体が前記位置ＩＤ保有装置から前記位置ＩＤを取得することにより判断されるものであることを特徴とする請求項１に記載の情報提供システム。
【請求項４】
前記移動表示体と前記位置ＩＤ保有装置間のＩＤの送受信は、送信側がＩＤを保有した非接触ＩＣタグであり、受信側がＩＣタグ読取機能を有していることを特徴とする請求項２または請求項３に記載の情報提供システム。
【請求項５】
前記移動表示体と前記位置ＩＤ保有装置間のＩＤの送受信は、送信側が赤外線発信機能を有し、受信側が赤外線受信機能を有していることを特徴とする請求項２または請求項３に記載の情報提供システム。
【請求項６】
前記配信情報データベースおよび前記配信情報データ抽出手段は、前記移動表示体に内蔵されていることを特徴とする請求項１から請求項５のいずれかに記載の情報提供システム。
【請求項７】
前記配信情報データ抽出手段は、前記移動表示体の外部の処理サーバが有しており、前記処理サーバが前記配信情報データベースから抽出した配信情報データを前記移動表示体に送信するものであることを特徴とする請求項１から請求項５のいずれかに記載の情報提供システム。
【請求項８】
前記移動表示体は、前記抽出した配信情報データを主画面に表示させた場合、表示開始から所定時間経過後に、当該配信情報データを主画面から消去し、当該配信情報データが表示される直前に表示されていたデータを再び主画面に表示させるものであることを特徴とする請求項１から請求項７のいずれかに記載の情報提供システム。
【請求項９】
前記移動表示体は、主画面に表示されているデータが操作ボタンを有しており、かつ顧客が操作ボタンを操作してから所定時間経過していない場合、または、変更禁止として設定されているデータが主画面に表示されている場合に、主画面変更禁止状態と判断し、それ以外の場合は、主画面変更可能状態と判断するものであることを特徴とする請求項１から請求項８に記載の情報提供システム。
【請求項１０】
前記移動表示体は、前記副画面を複数有しており、各副画面には優先順位が設定されていることを特徴とする請求項１から請求項９のいずれかに記載の情報提供システム。
【請求項１１】
前記移動表示体は、情報表示装置が、ショッピングカートに取り付けられて構成されていることを特徴とする請求項１から請求項１０のいずれかに記載の情報提供システム。
【請求項１２】
前記移動表示体は、携帯型端末であることを特徴とする請求項１から請求項１０のいずれかに記載の情報提供システム。
【発明の詳細な説明】
【技術分野】
【０００１】
本発明は、移動情報端末が所定の位置に移動した場合に、その位置に応じた情報を提供するためのシステムに関する。
【背景技術】
【０００２】
従来より、スーパーマーケット等の店舗内においては、ショッピングカートを利用して商品の購入が行われている。また、本出願人は、ショッピングカートに情報端末を設置し、この情報端末に、その情報端末が移動した位置に対応する情報を提供する装置を提案している（特許文献１参照）。
【特許文献１】特開２００５−１０８１８０号公報
【発明の開示】
【発明が解決しようとする課題】
【０００３】
しかしながら、上記特許文献１に記載の発明では、位置に応じた情報を移動体に提供するのみであり、顧客に対する広告および情報伝達効果が弱いという問題がある。
【０００４】
そこで、本発明は、店舗等において、移動体に対して広告等の配信情報を提供すると共に、より顧客への広告および情報伝達効果を高めることが可能な情報提供システムを提供することを課題とする。
【課題を解決するための手段】
【０００５】
上記課題を解決するため、本発明では、情報提供システムを、情報の表示が可能であると共に移動可能であり、自身を識別するためのＩＤである表示体ＩＤをもつ移動表示体と、所定の位置に設置され、当該位置を特定するための位置ＩＤを保有した位置ＩＤ保有装置を有し、前記移動表示体が前記位置ＩＤ保有装置に接近した場合に、当該位置ＩＤが設置されている位置に関連する情報を前記移動表示体に提供するシステムであって、前記移動表示体において表示するための配信情報データを前記位置ＩＤと対応付けて記録した配信情報データベースと、前記移動表示体が前記位置ＩＤ保有装置に接近した場合に、当該位置ＩＤ保有装置が保有する位置ＩＤに対応する配信情報データを、前記配信情報データベースから抽出する配信情報データ抽出手段を有し、前記移動表示体は、自身が、主画面変更禁止状態であるか主画面変更可能状態であるかを判断し、主画面変更禁止状態である場合には、抽出した配信情報データを副画面にのみ表示させ、主画面変更可能状態である場合には、抽出した配信情報データを主画面に表示する構成としたことを特徴とする。
【発明の効果】
【０００６】
本発明によれば、移動表示体の接近を検知すると、その位置に対応した配信情報を移動表示体に送信し、移動表示体が配信情報データを受信した際、主画面変更禁止状態である場合には、受信した配信情報データを主画面に表示させず、副画面にのみ表示させるようにしたので、顧客の画面操作を邪魔することなく、移動体が存在する付近で販売している商品に関する広告および情報伝達効果を高めることが可能となるという効果を奏する。
【発明を実施するための最良の形態】
【０００７】
以下、本発明の好適な実施形態について、図面を参照して詳細に説明する。
（第１の実施形態・システム構成）
図１は、本発明第１の実施形態に係る情報提供システムの構成を示す図である。図１において、１０は情報表示装置、２０は位置ＩＤ保有装置、３０は処理サーバ、４０は配信情報データベース、５０は情報送信手段である。
【０００８】
情報表示装置１０は、液晶ディスプレイ等の画面表示手段を備えた端末装置であり、所定の箇所に非接触ＩＣタグが取り付けられており、この非接触ＩＣタグには、各個体を特定するためのＩＤである表示体ＩＤが記録されている。なお、非接触ＩＣタグとは、プラスチック等の基材にコイルパターンを形成し、このコイルと容量素子とにより共振回路を形成して一定周波数の電波を受信し送信することができるように構成されたものであり、非接触データキャリアやＲＦ−ＩＤとも呼ばれる。表示体ＩＤは、情報表示装置１０に取り付けられた非接触ＩＣタグでなく、情報表示装置１０の内部に記憶されていても良い。また、情報表示装置１０は、ＣＰＵ、記憶手段および無線通信手段を備えているとともに、専用のプログラムを搭載しており、無線通信により受信したデータを処理して所定の形式で画面に表示する機能を有している。
【０００９】
本実施形態においては、情報表示装置１０は、ショッピングカートに取り付けられて移動表示体を構成しており、買物客が、ショッピングカートを移動させると、共に移動するようになっている。したがって、情報表示装置１０がショッピングカートに取り付けられると、上記表示体ＩＤは、移動体であるショッピングカートを特定する表示体ＩＤとしても用いられることになる。
【００１０】
位置ＩＤ保有装置２０は、商品を陳列している棚又はその付近に設置されており、棚に対応した位置を特定する位置ＩＤを保有している。また、位置ＩＤ保有装置２０は、情報表示装置１０に取り付けられた非接触ＩＣタグから、表示体ＩＤを読み取るための非接触方式の読取機能を有している。なお、非接触ＩＣタグの構成、位置ＩＤ保有装置２０の構成および非接触ＩＣタグから位置ＩＤ保有装置２０がＩＤを読み取るための方式については、上記特許文献１において開示されているように周知であるので詳細な説明は省略する。
【００１１】
処理サーバ３０は、本発明の情報提供システムにおける各種処理の制御を行うサーバコンピュータであり、情報提供システムの一部としての機能を果たすために必要な専用のソフトウェアを備えることにより実現される。
【００１２】
配信情報データベース４０は、表示体に送信するための配信情報データを、位置を特定する位置ＩＤと対応付けて記録したデータベースである。ここで、配信情報データベース４０内に記録された情報の一例を図２に示す。図２に示すように、配信情報データベース４０内には、位置ＩＤと配信情報ＩＤが対応付けて記録されている。位置ＩＤは、上述のように、位置ＩＤ保有装置２０が保有するＩＤであり、厳密な位置を特定するものではないが、位置ＩＤ保有装置２０を設置した売場を把握しておくことにより、店舗内の大まかな位置を認識することが可能となるものである。配信情報ＩＤは、配信情報データを特定するためのＩＤであり、本実施形態では、配信情報ＩＤを配信情報データのファイル名として利用している。また、配信情報データは、主画面表示用と副画面表示用の２種類が用意されている。この２種類の配信情報データは、１つのファイルに含まれていても、２つのファイルに分けて存在していても良い。いずれにしても、情報表示装置１０へは、２種類まとめて送信されることになる。なお、配信情報データとしては、本実施形態では、付近に陳列されている商品の広告データを用いているが、付近に陳列されていない商品の広告データや、商品広告以外のお役立ち情報、店舗サービス情報であっても良い。ただし、本実施形態のように、付近に陳列されている商品の広告データを用いるのが最も販促には効果的である。図２に示した対応付けを行う場合、まず、配信情報データに関連する商品が販売されている陳列棚に位置ＩＤ保有装置２０を設置し、その位置ＩＤ保有装置２０が保有する位置ＩＤと、その配信情報データの配信情報ＩＤを対応付けることにより行う。
【００１３】
情報送信手段５０は、処理サーバ３０からの指示に基づいて、情報表示装置１０に商品の広告情報を無線通信方式により送信する機能を有している。無線通信方式としては、赤外線、bluetooth、無線ＬＡＮ等種々の方式を採用することができる。本実施形態では、無線ＬＡＮ方式を採用しており、情報送信手段５０は、無線ＬＡＮアクセスポイントにより実現される。
【００１４】
（第１の実施形態・配信情報データの受信処理）
次に、図１に示したシステムの処理動作について説明していく。買物客が店舗内において、移動体であるショッピングカートを利用すると、ショッピングカートに設置された情報表示装置１０も共に店舗内を移動することになる。そして、情報表示装置１０が位置ＩＤ保有装置２０の付近に近づくと、位置ＩＤ保有装置２０は、情報表示装置１０に設置された非接触ＩＣタグに記録された表示体ＩＤを読み取る処理を行う。位置ＩＤ保有装置２０が読み取った表示体ＩＤは、その位置ＩＤ保有装置２０の位置ＩＤと共に処理サーバ３０に渡される。
【００１５】
処理サーバ３０は、表示体ＩＤと位置ＩＤ保有装置２０の位置ＩＤを受け取ると、まず、受け取った位置ＩＤ保有装置２０の位置ＩＤに対応する配信情報ＩＤを特定する。位置ＩＤ保有装置２０の位置ＩＤを利用して、処理サーバ３０が配信情報データベース４０を参照することにより行う。
【００１６】
続いて、処理サーバ３０は、特定した配信情報ＩＤで商品データベース４０を検索し、対応する配信情報データを取得する。配信情報データは、情報表示装置１０の画面に表示させて、買物客に広告を行うためのものであるので、動画像、静止画像等、画面表示可能なデータを少なくとも含むものとなっている。配信情報データの内容は、上述のように、位置ＩＤ保有装置２０が設置されている陳列棚に販売されている商品を広告する内容、もしくは、その商品に関連した内容となっている。処理サーバ３０は、商品データベース４０から配信情報データを抽出したら、情報送信手段５０を介して、受け取った表示体ＩＤで特定される情報表示装置１０に配信情報データを送信する。情報表示装置１０に配信情報データを送信する際、その情報表示装置１０のアドレスを知ることが必要となるが、これは、表示体ＩＤと情報表示装置１０のアドレスの対応テーブルを、所定の記憶領域にあらかじめ設定しておき、処理サーバ３０がこの対応テーブルを参照することにより行う。また、表示体ＩＤとして、情報表示装置１０のアドレスを設定しておいても良い。
【００１７】
情報表示装置１０では、情報送信手段５０から配信情報データを受信すると、その配信情報データを処理して画面に表示させる。以上が、配信情報データの表示までの処理であるが、これを買物客の視点から見ると、ショッピングカートを押して店舗内を歩いていると、配信情報データが情報表示装置１０に表示されることになる。上述のように、配信情報データは、その付近に陳列されている商品に関連するものとなっているので、買物客はその内容を見て、その商品を手に取るきっかけになる。店舗内には、複数の箇所（例えば、１フロアに３００箇所程度）に、位置ＩＤ保有装置２０を設置しており、買物客が利用するショッピングカートが、その付近を通るたびに、陳列された商品に関連する配信情報データが情報表示装置１０に表示されることになる。
【００１８】
（第１の実施形態・表示制御処理）
続いて、情報表示装置１０の表示制御処理について説明する。図３（ａ）は情報表示装置１０を正面から見た状態を示す図である。図３（ａ）において、１１は筐体、１２は表示画面である。表示画面１２には、情報表示装置１０の制御により、受信した配信情報データや、その他顧客に有益な様々な情報が表示される。筐体１１には、図３（ａ）に示すように「フロアガイド」、「もどる」、「メインメニュー」と表記された３つのボタン１１ａ〜１１ｃが設けられている。
【００１９】
図３（ｂ）は表示画面１２の詳細を示す図である。表示画面１２は主画面と副画面で構成されている。本実施形態では、主画面１３が１つ、副画面は第１副画面１４と第２副画面１５の２つの計３つの画面で構成されている。また、図３（ｂ）に示すように、３つの画面を画面垂直方向に並べた構成とし、主画面の上下に副画面をそれぞれ配置している。
【００２０】
続いて、情報表示装置１０の表示制御について、画面変化の様子を用いて具体的に説明する。まず、利用者がショピングカートの利用を開始する際、ショッピングカートに設置された情報表示装置１０の電源を入れると、情報表示装置１０は、あらかじめ初期状態に表示すべきデータとして設定されているデータを、主画面１３、第１副画面１４、第２副画面１５にそれぞれ表示させる。具体的には、主画面に表示すべきとして設定されているメインメニュー画面データを、主画面１３に表示させる。そして並行して、第１副画面１４、第２副画面１５に表示すべきとして設定されている配信情報データＡ、配信情報データＢを、それぞれ第１副画面１４、第２副画面１５に表示させる。副画面については、優先順位が定められており、第１副画面１４の優先順位が第２副画面１５よりも高く設定されている。そして、情報表示装置１０が保有している配信情報データのうち優先順位が最も高いものを優先順位が高い第１副画面１４に表示させ、２番目に優先順位が最も高いものを優先順位が低い第２副画面１５に表示させる。このようにして、図４（ａ）に示すような初期画面が表示される。図４（ａ）に示すように、初期状態では、主画面１３にメインメニュー画面が表示されるとともに、第１副画面１４、第２副画面１５には、それぞれ配信情報データＡ、配信情報データＢが表示される。
【００２１】
図４（ａ）に示すように、メインメニュー画面には、メインメニューとして、「今日のレシピ」、「今日の特売品」、「お買物メモ」、「商品検索」、「カゴ合計」の５つの選択ボタンと、「使い方？」と示したヘルプボタンが表示される。このヘルプボタンは、主画面１３に他のデータが表示された場合であっても、必要に応じて適宜表示され、このヘルプボタンを選択することにより、主画面１３に表示されている内容について支援が得られることになる。
【００２２】
また、第１副画面１４、第２副画面１５には、それぞれ配信情報データが表示されるが、図４（ａ）に示すように、第１副画面１４においては、中央の配信情報データ表示領域１４ａに配信情報データが表示され、左右には、矢印を示す三角形状の表示切替ボタン１４ｂ、１４ｃが表示される。この表示切替ボタン１４ｂ、１４ｃを選択すると、情報表示装置１０は、配信情報データ表示領域１４ａに現在表示されている配信情報データを他の配信情報データに切り替えて表示する処理を行うことになる。第２副画面１５においても、第１副画面１４と同様に、配信情報データ表示領域１５ａに配信情報データが表示され、左右には、表示切替ボタン１５ｂ、１５ｃが表示される。これらの機能も、配信情報データ表示領域１４ａ、表示切替ボタン１４ｂ、１４ｃと同様である。
【００２３】
図４（ａ）に示した場合において、利用者が５つの選択ボタンのうち、「今日のレシピ」ボタンを選択したとする。すると、情報表示装置１０は、選択されたボタンがいずれの選択ボタンであるかを認識し、その選択ボタンに対応付けられた画面データを抽出し、画面に表示させる。「今日のレシピ」ボタンを選択された場合は、レシピ画面データを表示させることになる。このときの画面の様子を図４（ｂ）に示す。
【００２４】
レシピ画面データには、レシピを決定するのに役立つ６つの選択ボタン（図中網掛けで示す）が表示されるとともに、ヘルプボタンが表示される。また、主画面１３の右端には、図４（ａ）のメインメニュー画面に表示された５つの選択ボタンと同一の選択ボタンが表示される。レシピを決定する際には、図中網掛けで示した選択ボタンを操作することによりレシピを決定していく。また、図４（ａ）にメインメニューとして表示した５つの選択ボタンのうち、他の４つの選択ボタンが選択された場合にも、同様にして画面が切り替わり、各目的が達成されることになる。
【００２５】
一方、図３（ａ）に示した「フロアガイド」、「もどる」、「メインメニュー」の３つのボタン１１ａ〜１１ｃを選択すると、強制的に処理が実行されることになる。例えば、フロアガイドボタン１１ａが選択されると、情報表示装置１０は、フロアガイドデータを記憶領域から抽出し、現在表示されているデータと切り替えて主画面１３に表示させる。フロアガイドデータが表示された際の画面の様子を図４（ｃ）に示す。図４（ｃ）において、網掛けで示した部分には店舗内の１フロアを示すフロアデータが表示される。具体的には、１フロア全体の棚の配置状態および商品陳列位置が表示されることになる。また、図３（ａ）に示したもどるボタン１１ｂが選択された場合は、情報表示装置１０は、直前に表示されていた画面データを記憶領域から抽出し、現在表示されているデータと切り替えて主画面に表示させる。図３（ａ）に示したメインメニューボタン１１ｃが選択された場合は、情報表示装置１０は、メインメニュー画面データを記憶領域から抽出し、現在表示されているデータと切り替えて主画面に表示させる。すなわち、この場合、図４（ａ）に示した画面が表示されることになる。
【００２６】
情報表示装置１０は、主画面１３に表示されているデータの種類および最終操作からの経過時間に応じて、主画面変更可能状態、主画面変更禁止状態に設定される。具体的には、主画面１３に表示されているデータが操作ボタンを有しており、かつ顧客が操作ボタンを操作してから所定時間経過していない場合は、主画面変更禁止状態と認識し、それ以外の場合は、主画面変更可能状態と認識する。
【００２７】
そして、上述のように、情報表示装置１０が位置ＩＤ保有装置２０の付近に近づくと、位置ＩＤ保有装置２０は、情報表示装置１０に設置された非接触ＩＣタグに記録された表示体ＩＤを読み取った後、その位置ＩＤ保有装置２０の位置ＩＤと共に処理サーバ３０に渡され、処理サーバ３０は、受け取った位置ＩＤに対応する配信情報ＩＤを特定し、対応する配信情報データを情報表示装置１０に送信する。これにより、情報表示装置１０は、付近に陳列されている商品に関連する配信情報データを取得することになる。この配信情報データの取得処理は、情報表示装置１０における画面の表示状態とは無関係に行われる。
【００２８】
情報表示装置１０は、配信情報データを受信すると、現在自身が主画面変更禁止状態であるか主画面変更可能状態であるかを判断する。主画面変更可能状態である場合は、今まで主画面、第１副画面に表示されていた内容に代えて、受信した配信情報データを主画面、第１副画面に表示させる。上述のように配信情報データには、主画面表示用と副画面表示用が存在するが、主画面には、主画面表示用のものを表示させ、第１副画面には、副画面表示用のものを表示させることになる。例えば、図４（ａ）〜（ｃ）に示したような状態で、最後に操作されてから所定時間が経過している場合に、配信情報データＣを受信したとすると、図４（ａ）〜（ｃ）に示したような状態から、図５（ａ）に示すような状態に切り替えられることになる。この状態で、配信情報データＣの主画面への表示開始から所定時間が経過すると、情報表示装置１０は、配信情報データＣを主画面１３から消去し、配信情報データＣが表示される直前に主画面１３に表示されていたメインメニュー等のデータを再び主画面１３に表示する処理を行う。表示開始からの所定時間は、事前に設定しておくことができるが、５秒程度が好ましい。
【００２９】
さらに、図５（ａ）に示すような状態で、情報表示装置１０が配信情報データを受信すると、現在自身が主画面変更禁止状態であるか主画面変更可能状態であるかを判断し、主画面変更可能状態の場合は、今まで主画面に表示されていた配信情報データＣに代えて、受信した配信情報データＤを主画面に表示させる。そして、この場合、情報表示装置１０は、第１副画面１４に、配信情報データＣに代えて、今まで主画面に表示されていた配信情報データＤを表示させる。この結果、図５（ｂ）に示すような状態に切り替えられることになる。このとき、画面から消去された配信情報データＣは、情報表示装置１０内の所定の記憶領域に保持される。そして、第１副画面に計２つ設けられた表示切替ボタン１４ｂ、１４ｃのいずれかに対応付けられる。例えば、第１副画面１４の左側の表示切替ボタン１４ｃに対応付けられたとすると、図５（ｂ）に示すような状態において、第１副画面１４の左側の表示切替ボタン１４ｃを操作すると、情報表示装置１０は、第１副画面１４に、配信情報データＤに代えて、画面から消去されていた配信情報データＣを表示させる。このときの画面の状態を図５（ｃ）に示す。
【００３０】
情報表示装置１０が配信情報データを受信した際に、主画面変更禁止状態である場合は、今まで主画面に表示されていた内容は変更しない。主画面変更禁止状態とは、上述のように、主画面に表示されているデータが操作ボタンを有しており、かつ顧客が操作ボタンを操作してから所定時間経過していない場合、または変更禁止として設定されているデータが主画面に表示されている場合の状態である。主画面に表示されているデータが操作ボタンを有しており、かつ顧客が操作ボタンを操作してから所定時間経過していない場合は、顧客が画面を見ながら検索等の目的を持って画面を操作していると考えられ、変更禁止として設定されているデータが主画面に表示されている場合とは、フロアマップ等、顧客が操作を行わないが移動時に常に表示しながら見ている可能性があると考えられる。このようなときに、その画面を配信情報データに切り替えてしまうのは、顧客にとって不都合である。そのため、このような場合は、配信情報データを受信したとしても主画面に配信情報データは表示させない。例えば、図４（ａ）に示したような状態で、最後に操作されてから所定時間が経過していない場合に、配信情報データＣを受信したとすると、図４（ａ）に示したような状態から、図６（ａ）に示すような状態に切り替えられることになる。すなわち、主画面変更禁止状態である場合には、情報表示装置１０は、受信した配信情報データＣを、主画面でなく第１副画面１４に表示させ、主画面変更禁止状態であっても、画面から消去された配信情報データＢは、情報表示装置１０内の所定の記憶領域に保持され、第１副画面１４の２つの表示切替ボタン１４ｂ、１４ｃのいずれかに対応付けられる。したがって、第１副画面１４の左側の表示切替ボタン１４ｃに対応付けられたとすると、図６（ａ）に示すような状態において、第１副画面１４の左側の表示切替ボタン１４ｃを操作すると、情報表示装置１０は、第１副画面１４に、配信情報データＣに代えて、画面から消去されていた配信情報データＡを表示させる。このときの画面の状態を図６（ｂ）に示す。
【００３１】
また、情報表示装置１０は、主画面１３に配信情報データを表示させた場合、表示開始からの時間を計測する。そして、あらかじめ設定された時間が経過した場合は、主画面１３に表示されている配信情報データを消去し、主画面１３には、配信情報データを表示させる直前に表示させていた画面データを表示させる。例えば、図４（ａ）に示したようにメインメニュー画面が表示された状態で配信情報データＣを受信し、図５（ａ）に示したように主画面１３に表示させた場合、配信情報データＣの表示から所定時間経過すると、図６（ａ）に示したような状態に画面が変化することになる。
【００３２】
主画面変更禁止状態、主画面変更可能状態においては、受信した配信情報データが主画面に表示されるか、副画面に表示されるかの違いはあるが、いずれの場合においても情報表示装置１０を備えたショッピングカートが、ある商品の陳列されている付近に近付くと、その商品に対応する配信情報データが画面に表示されることになる。これにより、顧客は、自分が存在する付近の商品情報を得ることができ、店舗側としては、購買に結び付き易い広告を効率的に行うことが可能となる。特に、顧客が画面を操作している場合には、受信した配信情報データが副画面に表示されるので、顧客の操作を煩わせることなく、顧客に付近の商品の存在を知らせることができる。
【００３３】
なお、上記の主画面、副画面に表示するデータの切り替えは、本実施形態では、切り替える方向に移動させるように行っている。すなわち、データが瞬時に切り替わるのではなく、配信情報データがスライドするようなイメージで切り替わる。例えば、図４（ａ）に示したような状態で配信情報データＤを受信した場合、配信情報データＣは主画面１３に上側の第１副画面１４の方から下に向かってスライドするように表示され、同時に上側の第１副画面１４に右から左にスライドするように表示される。また、主画面１３に表示された配信情報データＣが自動的もしくは「閉じる」「もどる」ボタンによって消去される場合は、第１副画面１４の方に向かって下から上にスライドするように消去される。配信情報データが画面上の何処に履歴として表示されているのかが分かることが目的だからである。第２副画面１５に表示される、配信情報データＢは、主画面１３に下側の第２副画面１５の方から上に向かってスライドするように表示され、同時に下側の第２副画面１５に右から左にスライドするように表示される。また、主画面１３に表示された配信情報データＢが自動的もしくは「閉じる」「もどる」ボタンによって消去される場合は、第２副画面１５の方に向かって上から下にスライドするように消去される。既に、画面から消去された配信情報データを再び表示させる場合も同様である。例えば、図５（ｂ）に示したような状態で配信情報データＣを主画面１３に表示する場合、表示切替ボタン１４ｃを操作すると、第１副画面１４において、配信情報データDが左側から右側にスライドしつつ、配信情報データＣが表示切替ボタン１４ｃの左側から右側にスライドして現れ、図５（ｃ）に示したような状態に切り替わり、第１副画面１４に表示された配信情報データＣを押すと主画面１３に配信情報データＣが第１副画面１４の方から下に向かってスライドするように最終的に図５（ａ）に示したような状態に切り替わる。顧客自ら積極的に主画面１３に表示した配信情報データは表示時間によって自動的に消去されることはなく、顧客自ら「閉じる」「もどる」などのボタンを押すことによって消去される。第２副画面１５も同様に機能することになる。
【００３４】
（第１の実施形態・異なる通信方式）
第１の実施形態については以上であるが、上記の例では、情報表示装置１０から位置ＩＤ保有装置２０への表示体ＩＤの送信を、非接触ＩＣタグとＩＣタグ読み取り機能により実現したが、情報表示装置１０に赤外線発信機能を備え、位置ＩＤ保有装置２０に赤外線受信機能を備えることにより実現しても良い。また、無線ＬＡＮや、bluetooth等の他の通信方式により実現しても良い。
【００３５】
（第２の実施形態・システム構成）
次に、本発明第２の実施形態について説明する。第１の実施形態では、情報表示装置１０から位置ＩＤ保有装置２０に、表示体ＩＤを送信する方式としたが、第２の実施形態では、位置ＩＤ保有装置から情報表示装置に位置ＩＤを送信する方式としている点が異なっている。具体的には、情報表示装置が赤外線受信機能を備える構成とし、商品の陳列棚又はその付近に設置された位置ＩＤ保有装置２０が赤外線発信機能を備える構成となっている。
【００３６】
図７は、本発明第２の実施形態に係る情報提供システムの構成を示す図である。図７において、１０Ａは情報表示装置、２１は位置ＩＤ保有装置、３０Ａは処理サーバ、４０は配信情報データベース、５１は情報送受信手段である。
【００３７】
情報表示装置１０Ａは、第１の実施形態における情報表示装置１０と同様、液晶ディスプレイ等の画面表示手段、ＣＰＵ、記憶手段および無線通信手段を備えているとともに、専用のプログラムを搭載した端末装置であるが、第１の実施形態と異なり、非接触ＩＣタグに代えて、位置ＩＤを受信するための赤外線受信機能を備えている。
【００３８】
位置ＩＤ保有装置２１は、位置ＩＤを保有しており、この位置ＩＤを赤外線により送信する赤外線発信機能を有している。この位置ＩＤ保有装置２１は、第１の実施形態における位置ＩＤ保有装置２０と同様、商品を陳列している棚又はその付近に設置されており、保有している位置ＩＤは、棚に対応した位置を特定するものである。
【００３９】
処理サーバ３０Ａは、第１の実施形態における処理サーバ３０とほぼ同様の機能を有するものである。
【００４０】
情報送受信手段５１は、第１の実施形態における情報送受信手段５０と同様、処理サーバ３０Ａからの指示に基づいて、情報表示装置１０に商品の広告情報を無線通信方式により送信する機能を有している。さらに、情報送受信手段５１は、情報表示装置１０Ａから位置ＩＤを受信する機能を有している。無線通信方式としては、赤外線、bluetooth、無線ＬＡＮ等種々の方式を採用することができる。本実施形態では、無線ＬＡＮ方式を採用しており、情報送信手段５１は、無線ＬＡＮアクセスポイントにより実現される。
【００４１】
（第２の実施形態・配信情報データの受信処理）
次に、図７に示したシステムの処理動作について説明していく。情報表示装置１０Ａが位置ＩＤ保有装置２１の付近に近づくと、位置ＩＤ保有装置２１は、自身が保有している位置ＩＤを赤外線により情報表示装置１０Ａに送信する。情報表示装置１０Ａは、赤外線受信装置により位置ＩＤを受信し、自身の内部に記録されている表示体ＩＤを、受信した位置ＩＤとともに処理サーバ３０に送信する。情報表示装置１０Ａが送信した表示体ＩＤおよび位置ＩＤは、情報送受信手段５１を介して処理サーバ３０に送信される。
【００４２】
処理サーバ３０は、表示体ＩＤと位置ＩＤ保有装置２１の位置ＩＤを受信すると、まず、受信した位置ＩＤに対応する配信情報ＩＤを特定する。具体的には、位置ＩＤを利用して、処理サーバ３０Ａが配信情報データベース４０を参照することにより行う。
【００４３】
続いて、処理サーバ３０Ａは、特定した配信情報ＩＤで配信情報データベース４０を検索し、対応する配信情報データを取得し、情報送受信手段５１を介して、受信した表示体ＩＤで特定される情報表示装置１０Ａに配信情報データを送信する。
【００４４】
情報表示装置１０Ａでは、情報送受信手段５１を介して処理サーバ３０Ａから配信情報データを受信すると、その配信情報データを処理して画面に表示させる。受信した配信情報データの表示制御処理については、第１の実施形態と同様に行われる。
【００４５】
（第２の実施形態・異なる通信方式）
第２の実施形態については以上であるが、上記の例では、位置ＩＤ保有装置２１から情報表示装置１０Ａへの位置ＩＤの送信を、赤外線発信機能と赤外線受信機能により実現したが、情報表示装置１０ＡにＩＣタグ読み取り機能を備え、位置ＩＤ保有装置２０に非接触ＩＣタグを備えることにより実現しても良い。また、無線ＬＡＮや、bluetooth等の他の通信方式により実現しても良い。
【００４６】
（両実施形態に共通の変形例）
以上、本発明の好適な実施形態について説明したが、本発明は上記実施形態に限定されず、種々の変形が可能である。例えば、上記実施形態では、配信情報データベース４０を情報表示装置１０、１０Ａとは別体とし、情報表示装置１０、１０Ａが処理サーバ３０、３０Ａから配信情報データを受信するようにしたが、処理サーバ３０、３０Ａおよび配信情報データベース４０の機能を情報表示装置１０、１０Ａが内蔵するようにしても良い。
【００４７】
また、情報表示装置１０にバーコードリーダや非接触ＩＣタグリーダ等の情報読取手段を取り付け、陳列棚に設けられたバーコードや非接触ＩＣタグを読み取ることにより位置ＩＤを取得し、情報表示装置１０は別途処理サーバ３０にアクセスし、取得した位置ＩＤに対応する配信情報データを取得するようにしても良い。
【００４８】
また、上記実施形態では、情報表示装置１０として、ショッピングカートに取り付けられた専用装置を用いたが、インターネット接続可能であると共に非接触ＩＣ内蔵の携帯電話機を利用するようにしても良い。この場合、携帯電話機内の非接触ＩＣ内に記録された表示体ＩＤと、その携帯電話機のアドレスの対応関係を処理サーバ３０に登録しておき、位置ＩＤ保有装置２０が表示体ＩＤを読み取った場合に、対応するメールアドレスで特定される携帯電話機に配信情報データを送信する。
【図面の簡単な説明】
【００４９】
【図１】本発明第１の実施形態に係る情報提供システムの構成を示す図である。
【図２】配信情報データベース４０内の情報を示す図である。
【図３】情報表示装置１０の正面図および表示画面を示す図である。
【図４】顧客操作による画面変化の様子を示す図である。
【図５】主画面変更可能状態における画面変化の様子を示す図である。
【図６】主画面変更禁止状態における画面変化の様子を示す図である。
【図７】本発明第２の実施形態に係る情報提供システムの構成を示す図である。
【符号の説明】
【００５０】
１０、１０Ａ・・・情報表示装置
１１・・・筐体
１１ａ〜１１ｃ・・・操作ボタン
１２・・・表示画面
１３・・・主画面
１４・・・第１副画面
１５・・・第２副画面
２０、２１・・・位置ＩＤ保有装置
３０、３０Ａ・・・処理サーバ
４０・・・配信情報データベース
５０・・・情報送信手段
５１・・・情報送受信手段
【図１】
2007128346.tif 000003
【図２】
2007128346.tif 000004
【図３】
2007128346.tif 000005
【図４】
2007128346.tif 000006
【図５】
2007128346.tif 000007
【図６】
2007128346.tif 000008
【図７】
2007128346.tif 000009